【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
中性子出力を伴う中性子を放出するように構成された中性子放出器と、
前記中性子出力の平均エネルギーを低減することにより減速された中性子出力を生成するように構成された中性子減速材と、
前記減速された中性子出力に晒された場合には中性子を吸収するように構成されたターゲットであって、該ターゲットによる前記中性子の該吸収が変換された元素を生成するターゲットと、
所望の元素を抽出するように構成された抽出器と
を備えている、元素を変換するための装置。
【請求項２】
前記中性子放出器が中性子発生器を備えている、請求項１に記載の装置。
【請求項３】
前記中性子出力が、約１×１０10〜約１×１０15中性子毎秒の速度で生成される中性子を備えている、請求項１に記載の装置。
【請求項４】
前記中性子出力の平均エネルギーが約２．４ＭｅＶ〜約１４ＭｅＶである、請求項１に記載の装置。
【請求項５】
前記中性子減速材が、鉛、ビスマス、タングステン、トリウム、ウラン、劣化ウラン、水、重水、ベリリウム、炭素、ポリエチレンまたはそれらの組み合わせを備えている、請求項１に記載の装置。
【請求項６】
前記中性子減速材の厚さは、前記ターゲットの中性子捕獲断面積が第１の閾値を上回る水準まで前記中性子出力のエネルギーを低減するのに十分である、請求項１に記載の装置。
【請求項７】
前記ターゲットが、カルシウム、炭素、クロム、コバルト、エルビウム、フッ素、ガリウム、三重水素、インジウム、ヨウ素、鉄、クリプトン、モリブデン、窒素、酸素、リン、ルビジウム、サマリウム、セレン、ナトリウム、ストロンチウム、テクネチウム、タリウム、キセノンまたはイットリウムの少なくとも１つを備えている、請求項１に記載の装置。
【請求項８】
前記ターゲットの厚さは、該ターゲットの中性子捕獲断面積が第２の閾値を上回る水準まで前記減速された中性子出力のエネルギーを低減するのに十分であって、前記第２の閾値が前記第１の閾値を上回っており、前記第２の閾値が、好ましくは、前記ターゲットの前記中性子捕獲断面積のピーク付近である、請求項１に記載の装置。
【請求項９】
前記抽出器が、クロマトグラフィーシステム、真空濾過システム、遠心分離システム、真空蒸発システム、重力濾過システムまたはそれらの組み合わせを備えている、請求項１に記載の装置。
【請求項１０】
前記変換された元素が、自然に崩壊して所望の元素を生成する、請求項１に記載の装置。
【請求項１１】
前記ターゲットがモリブデン９８を備えており、前記変換された元素がモリブデン９９を備えており、前記所望の元素がテクネチウム９９ｍを備えている、請求項１に記載の装置。
【請求項１２】
中性子出力を伴う中性子を放出するように構成された中性子発生器と、
直径Ｄ1を有し、前記中性子出力の平均エネルギーを低減することにより減速された中性子出力を生成するように構成された中性子減速材と、
直径Ｄ2を有し、前記減速された中性子出力に晒された場合には中性子を吸収するように構成されたモリブデン含有材料を備えた１つ以上の区画であって、該モリブデン含有材料による中性子の該吸収がモリブデン９８からモリブデン９９を生成する該１つ以上の区画と、
前記１つ以上の区画からテクネチウム９９ｍを抽出するように構成された抽出器と
を備えている、モリブデン９８からテクネチウム９９ｍを生成する装置。
【請求項１３】
前記中性子出力が、約１×１０10〜約１×１０15中性子毎秒の速度で生成される中性子を備えている、請求項１２に記載の装置。
【請求項１４】
前記中性子出力の平均エネルギーが約２．４ＭｅＶ〜約１４ＭｅＶである、請求項１２に記載の装置。
【請求項１５】
前記中性子減速材が、前記中性子発生器を実質的に囲んでいる、請求項１２に記載の装置。
【請求項１６】
前記中性子減速材が、鉛、ビスマス、タングステン、トリウム、ウラン、劣化ウラン、水、重水、ベリリウム、炭素、ポリエチレンまたはそれらの組み合わせを備えている、請求項１２に記載の装置。
【請求項１７】
前記直径Ｄ1は、前記減速された中性子出力のエネルギーが約１ｋｅＶ〜約１００ｋｅＶの範囲内にあるように選択される、請求項１２に記載の装置。
【請求項１８】
前記モリブデン含有材料が、酸化モリブデンまたは粉末状モリブデンである、請求項１２に記載の装置。
【請求項１９】
前記直径Ｄ2は、前記減速された中性子出力のエネルギーが約１００ｅＶ〜約１０００ｅＶの範囲内にあるように選択される、請求項１２に記載の装置。
【請求項２０】
前記装置が、前記１つ以上の区画の少なくとも一部を通して溶出されるように構成された溶離液を備えており、該溶離液が水または生理食塩水を備えている、請求項１２に記載の装置。
【請求項２１】
前記抽出器が、クロマトグラフィーシステム、真空濾過システム、遠心分離システム、真空蒸発システム、重力濾過システムまたはそれらの組み合わせを備えている、請求項１２に記載の装置。
【請求項２２】
中性子出力を生成する工程と、
減速された中性子出力を生成するように、中性子減速材を用いて前記中性子出力の平均エネルギーを低減する工程と、
変換された元素を生成するように、前記減速された中性子出力からの中性子を吸収する工程と、
所望の元素を抽出する工程とを備えている、ターゲットを変換する方法。
【請求項２３】
前記方法が、該中性子出力において中性子を増倍させる工程をさらに備えている、請求項２２に記載の方法。
【請求項２４】
前記方法が、所望の元素を生成するように、該変換された元素を自然崩壊させる工程をさらに備えている、請求項２２に記載の方法。
【請求項２５】
前記中性子減速材の厚さは、前記ターゲットの中性子捕獲断面積が第１の閾値を上回る水準まで前記中性子出力のエネルギーを低減するのに十分である、請求項２２に記載の方法。
【請求項２６】
前記ターゲットの厚さは、該ターゲットの中性子捕獲断面積が第２の閾値を上回る水準まで前記減速された中性子出力のエネルギーを低減するのに十分であって、前記第２の閾値が前記第１の閾値を上回っており、前記第２の閾値が、好ましくは、前記ターゲットの前記中性子捕獲断面積のピーク付近である、請求項２２に記載の方法。
【手続補正２】
【補正対象書類名】明細書
【補正対象項目名】００３０
【補正方法】変更
【補正の内容】
【００３０】
いくつかの実施形態では、開示の上記装置は、所望の元素を抽出するように構成された抽出器１８０を含む。いくつかの変形例では、該抽出器は、クロマトグラフィーシステム、真空濾過システム、遠心分離システム、真空蒸発システム、重力濾過システムまたはそれらの組み合わせであってもよい。いくつかの実施形態では、該抽出器は、例えば、ポンプ、貯蔵器、制御システム、フィルター、遠心分離器等を含んでいてもよい。該抽出器は、上記中性子発生器が動作している間または動作していない間に動作していてもよい。いくつかの実施形態では、該抽出器は様々な位置に配置されてもよく、例えば、該装置の頂部、該装置の底部またはそれらの組み合わせに配置されていてもよい。
【手続補正３】
【補正対象書類名】明細書
【補正対象項目名】００６３
【補正方法】変更
【補正の内容】
【００６３】
いくつかの実施形態では、上記所望の元素の上記所望の量が形成されると、該所望の元素は装置から抽出されてもよい。いくつかの実施形態では、該所望の元素は、開示の上記装置において説明したような抽出器を用いて抽出される。いくつかの実施形態では、所望の元素を抽出する操作５６０は、上記ターゲットを通過させて溶液を溶出することにより所望の元素を抽出することを含んでいてもよい。該ターゲットを通過させて溶液を溶出することにより所望の元素を抽出することは、溶離液を該装置内に導入し、酸化アルミニウムのような抽出を補助し得る材料を含み得る該装置に溶離液を通過させることを備えていてもよい。該溶離液は、該所望の元素を保持してもよく、該装置から出てもよい。該溶出物は、フィルター、真空蒸発システム、クロマトグラフィー、沈降手段等に送られてもよい。
【手続補正４】
【補正対象書類名】明細書
【補正対象項目名】００７２
【補正方法】変更
【補正の内容】
【００７２】
いくつかの実施形態では、上記抽出器は、クロマトグラフィーシステム、真空濾過システム、遠心分離システム、真空蒸発システム、重力濾過システムまたはそれらの組み合わせであってもよい。いくつかの変形例では、上記装置は、１つ以上の区画の少なくとも一部を通して溶出されるように構成された溶離液を含んでいてもよく、該溶離液は、水または生理食塩水を備える。
【手続補正５】
【補正対象書類名】明細書
【補正対象項目名】００７６
【補正方法】変更
【補正の内容】
【００７６】
上記装置は、抽出器を備えていてもよい。このような実施形態では、該抽出器は、クロマトグラフィーシステム、真空濾過システム、遠心分離システム、真空蒸発システム、重力濾過システムまたはそれらの組み合わせを備えていてもよい。